(57)【要約】【課題】分散型照明制御システムにおいて、各調光盤の設置場所の設定及び管理を容易にする。【解決手段】  分散型照明制御システムは、それぞれ異なるアドレスが割り振られた複数の調光盤２０と、調光盤２０に調光信号を出力する中央制御装置１０とが、信号線Ｌ１、Ｌ２、及び、スプリッタ３０とともに通信ネットワークを構成している。各調光盤２０は、照明空間である舞台の天井から吊下げられた複数のバトン４０が有する設置部４１に照明器具５０とともに取り付けられている。調光盤２０を設置すると、調光盤２０は自身のアドレスを含む設定データＤ１を中央制御装置１０に送信し、中央制御装置１０は受信した設定データＤ１に基づいて調光盤管理ファイルＦ１を更新し、新たに調光盤２０が追加されたことを検知することができる。【選択図】図１
2011070961.tif 000002
【特許請求の範囲】
【請求項１】
固有のアドレスが割り振られ、調光信号に基づいて照明器具の調光レベルを制御する１乃至複数の調光盤と、
信号線を介して前記調光盤と接続して通信ネットワークを形成し、前記調光盤に調光信号を送信する中央制御装置とを備え、
前記調光盤は、
前記通信ネットワークを介して前記中央制御装置との間で前記調光信号を含む信号の送受信を行う通信部と、
前記通信部を制御して少なくとも自己のアドレスを含む設定データを送信する通信制御手段とを有し、
前記中央制御装置は、
前記通信ネットワークに接続された調光盤に対して、前記設定データを送信させるための要求信号を送信する要求手段と、
前記要求信号に応じて調光盤から送信された前記設定データに基づいて、当該調光盤のアドレスに関連付けて当該調光盤が設置された設置場所を調光盤管理情報として記憶する記憶手段とを有する分散型制御システムにおいて、
前記調光盤は、
前記通信ネットワークに自身が追加接続されたことを検知する接続検知手段を有し、
前記通信制御手段は、前記接続検知部によって前記通信ネットワークへの接続が検知されると、前記設定データを送信することを特徴とする分散型照明制御システム。
【請求項２】
固有のアドレスが割り振られ、調光信号に基づいて照明器具の調光レベルを制御する１乃至複数の調光盤と、
信号線を介して前記調光盤と接続して通信ネットワークを形成し、前記調光盤に調光信号を送信する中央制御装置とを備え、
前記調光盤は、
前記通信ネットワークを介して前記中央制御装置との間で前記調光信号を含む信号の送受信を行う通信部と、
前記通信部を制御して少なくとも自己のアドレスを含む設定データを送信する通信制御手段とを有し、
前記中央制御装置は、
前記通信ネットワークに接続された調光盤に対して、前記設定データを送信させるための要求信号を送信する要求手段と、
前記要求信号に応じて調光盤から送信された前記設定データに基づいて、当該調光盤のアドレスに関連付けて当該調光盤が設置された設置場所を調光盤管理情報として記憶する記憶手段とを有する分散型制御システムにおいて、
前記調光盤は、
操作入力部と、
前記操作入力部の操作入力に応じて、前記設定データを送信することを特徴とする分散型照明制御システム。
【請求項３】
前記調光盤は、前記通信ネットワークに接続された設置装置に設置され、
前記設置装置は、固有のアドレスが割り振られ、操作に応じて自身のアドレスを含む場所データを前記中央制御装置に送信する通知部を有し、
前記中央制御装置は、前記設定データ及び場所データを受信すると、当該設定データ及び場所データに基づいて前記調光盤管理情報を更新することを特徴とする請求項１又は２の何れか一項に記載の分散型照明制御システム。
【発明の詳細な説明】
【技術分野】
【０００１】
本発明は、複数の照明装置を遠隔制御するための分散型照明制御システムに関するものである。
【背景技術】
【０００２】
従来から、例えば舞台などで照明演出を行うために、複数の照明装置を舞台などの照明空間に設置し、各照明装置を遠隔から制御する照明制御システムがあった（例えば、特許文献１を参照）。
【０００３】
また、この種の用命制御システムは、図１１に示すように、天井などから吊るされる設置器具であるバトン６０、６０のそれぞれに、一乃至複数の照明器具５０が設置される。各照明器具５０は、バトン６０に設けられた接続回路６１および電力線Ｌ３を介して、調光盤２０に設けられた接続回路２８にそれぞれ接続されている。また調光盤２０は、調光卓１０から信号線Ｌ１を介して入力される例えばＤＭＸ５１２信号からなる調光信号に基づいて、各調光回路２８の動作を制御し、各電力線Ｌ３への出力レベルを調整している。これにより、使用者が調光卓１０の表面に設置された操作パネル（図示せず）のフェーダなどを操作することで、各バトン６０に設置された照明器具５０の調光レベルをそれぞれ制御することができる。
【０００４】
一方、図１２に示すように、バトン４０に調光盤２０を着脱自在に設置するための設置部４１を複数設け、調光卓１０からの調光信号を分岐して各調光盤２０に出力するスプリッタ３０を調光卓１０と調光盤２０との間に設けた照明制御システムもある。各調光盤２０には、それぞれ異なるアドレスが割り当てられており、使用者が調光卓１０の操作パネルを操作すると、調光レベルを制御したい調光盤２０のアドレスに調光卓１０が調光信号を出力する。この調光信号は、信号線Ｌ１、Ｌ２及びスプリッタ３０を介して各調光盤２０に入力され、各調光盤２０は、この調光信号に含まれるアドレスに基づいて、自器宛の調光信号であるかを判断するとともに、自器宛の調光信号であれば照明器具５０の調光レベルを制御する。このような照明制御システムは、図１１に示すような固定型の照明制御システムと異なり調光盤２０の着脱が可能であるので、使用者が使用したい場所に調光盤２０及び照明器具５０を配置して、最適な照明制御を行うことが可能であった。
【先行技術文献】
【特許文献】
【０００５】
【特許文献１】特開２００８−１１７５６６号公報
【発明の概要】
【発明が解決しようとする課題】
【０００６】
ところで、使用者が調光卓に設けたフェーダなどの操作部を操作して照明を制御するためには、調光盤のアドレスもしくはバトンの位置と、各操作部の番号とを対応付けるパッチ操作と呼ばれる操作が必要であった。
【０００７】
しかしながら、上述のような照明制御においては、調光信号としてＤＭＸ信号のような片方向の通信信号が用いられており、調光卓から調光盤に対して制御信号を出力することはできるものの、調光盤からの情報を得ることはできなかった。
【０００８】
そのため、設置された調光盤がどこに設置されたのかを使用者が判断するには、調光盤に設定されたアドレスと、調光盤を設置したバトンの位置とを使用者が把握し、それぞれを互いに対応づけて記録し、使用者が管理する必要があるため、調光盤及び照明器具を設置する作業は、非常に手間と時間のかかる作業であった。
【０００９】
本発明は、上記事由に鑑みて為されたものであり、その目的とするところは、分散型の照明制御システムにおいて、各調光盤の設置場所の設定及び管理を容易にした照明制御システムを提供することにある。
【課題を解決するための手段】
【００１０】
上記目的を達成するために、請求項１の発明では、固有のアドレスが割り振られ、調光信号に基づいて照明器具の調光レベルを制御する１乃至複数の調光盤と、信号線を介して前記調光盤と接続して通信ネットワークを形成し、前記調光盤に調光信号を送信する中央制御装置とを備え、前記調光盤は、前記通信ネットワークを介して前記中央制御装置との間で前記調光信号を含む信号の送受信を行う通信部と、前記通信部を制御して少なくとも自己のアドレスを含む設定データを送信する通信制御手段とを有し、前記中央制御装置は、前記通信ネットワークに接続された調光盤に対して、前記設定データを送信させるための要求信号を送信する要求手段と、前記要求信号に応じて調光盤から送信された前記設定データに基づいて、当該調光盤のアドレスに関連付けて当該調光盤が設置された設置場所を調光盤管理情報として記憶する記憶手段とを有する分散型制御システムにおいて、前記調光盤は、前記通信ネットワークに自身が追加接続されたことを検知する接続検知手段を有し、前記通信制御手段は、前記接続検知部によって前記通信ネットワークへの接続が検知されると、前記設定データを送信することを特徴とする。
【００１１】
請求項２の発明では、固有のアドレスが割り振られ、調光信号に基づいて照明器具の調光レベルを制御する１乃至複数の調光盤と、信号線を介して前記調光盤と接続して通信ネットワークを形成し、前記調光盤に調光信号を送信する中央制御装置とを備え、前記調光盤は、前記通信ネットワークを介して前記中央制御装置との間で前記調光信号を含む信号の送受信を行う通信部と、前記通信部を制御して少なくとも自己のアドレスを含む設定データを送信する通信制御手段とを有し、前記中央制御装置は、前記通信ネットワークに接続された調光盤に対して、前記設定データを送信させるための要求信号を送信する要求手段と、前記要求信号に応じて調光盤から送信された前記設定データに基づいて、当該調光盤のアドレスに関連付けて当該調光盤が設置された設置場所を調光盤管理情報として記憶する記憶手段とを有する分散型制御システムにおいて、前記調光盤は、操作入力部と、前記操作入力部の操作入力に応じて、前記設定データを送信することを特徴とする。
【００１２】
請求項３の発明では、請求項１又は２の何れか一項に記載の発明において、前記調光盤は、前記通信ネットワークに接続された設置装置に設置され、前記設置装置は、固有のアドレスが割り振られ、操作に応じて自身のアドレスを含む場所データを前記中央制御装置に送信する通知部を有し、前記中央制御装置は、前記設定データ及び場所データを受信すると、当該設定データ及び場所データに基づいて前記調光盤管理情報を更新することを特徴とする。
【発明の効果】
【００１３】
請求項１の発明によれば、各調光盤が通信ネットワークに追加された際に、自発的に自身のアドレスを含む設定データを送信するので、中央管理装置において、新たに調光盤が接続されたことを設定する必要が無く、各調光盤の設置場所の設定および調光盤の管理を容易にすることができる。
【００１４】
請求項２の発明によれば、各調光盤が通信ネットワークに追加された際に、使用者の操作入力に応じて、調光盤２０は自身のアドレスを含む設定データを送信するので、中央管理装置において、新たに調光盤が接続されたことを設定する必要が無く、各調光盤の設置場所の設定および調光盤の管理を容易にすることができる。
【００１５】
請求項３の発明によれば、設置場所に固有のアドレスが割り振られ、操作に応じて中央制御装置にそのアドレスを含む場所データを送信し、中央制御装置が設定データと場所データに基づいて調光盤管理情報を更新するので、使用者が中央制御装置において設置場所と調光盤との対応付けを行う必要が無くなり、各調光盤の設置場所の設定及び管理が容易になる。
【図面の簡単な説明】
【００１６】
【図１】実施の形態１にかかる分散型照明制御システムの構成を示す概略ブロック図である。
【図２】（ａ）は、同分散型照明制御システムにおける中央制御装置の構成を示す概略ブロック図であり、（ｂ）は同分散型照明制御システムにおける調光盤の構成を示す概略ブロック図である。
【図３】同分散型照明制御システムにおいて、調光盤を追加した際の処理を示すシーケンス図である。
【図４】同分散型照明制御システムにおける中央制御装置に表示される表示内容を示す概略図である。
【図５】（ａ）は、実施の形態２にかかる分散型照明制御システムにおける調光盤を示す概略図正面図であり、（ｂ）は同調光盤の他例を示す概略図正面図である。
【図６】同分散型照明制御システムにおいて、調光盤のアドレスを設定する際の処理を示すシーケンス図である。
【図７】実施の形態３にかかる分散型照明制御システムの構成を示す概略ブロック図である。
【図８】同分散型照明制御システムにおいて、調光盤とバトンとを関連付けるための処理を示すフロチャート図である。
【図９】同分散型照明制御システムにおけるバトンの他例を示した概略図である。
【図１０】実施の形態１〜３にかかる分散型照明制御システムの中央制御装置に表示される表示内容を示す概略図である。
【図１１】従来の固定型照明制御システムを示す概略ブロック図である。
【図１２】従来の分散型照明制御システムを示す概略ブロック図である。
【発明を実施するための形態】
【００１７】
以下に本発明の実施の形態を図面に基づいて説明する。
【００１８】
（実施の形態１）
本実施の形態にかかる分散型照明制御システムは、例えば舞台などで照明演出の為に使用する複数の照明装置を遠隔制御するための照明制御システムである。この分散型照明制御システムは、上述した図１２に示す従来の照明制御システムと同様に、照明空間である舞台の天井から吊下げられた複数のバトン４０に、後述する調光盤２０及び照明器具が取り付けられている。図４は、後述する中央制御装置１０の表示部１３に表示される表示画像を説明する為の概略図であり、各バトン４０の配置を平面的に示している。また図４に示すように、各バトン４０には、その設置場所に応じてＮ１〜Ｎ１８、Ｂ１〜Ｂ６、ＵＨ１〜ＵＨ６という名称が付与されている。
【００１９】
各バトン４０は、調光盤２０を取り付けるための設置部４１が複数個設けられており、バトン４０の大きさに応じてそれぞれ設置部４１の個数が異なる。なお、本実施の形態においては、各バトン４０は設置部４１が３つずつ設けられているものとし、各バトン４０において設置部４１を識別するために、Ａ、Ｂ、Ｃという名称が付与されているものとする。
【００２０】
また、この分散型照明制御システムは、図１に示すとおり、中央制御装置１０と複数の調光盤２０（２０ａ〜２０ｄ）とが、信号線Ｌ１、Ｌ２、及び、スプリッタ３０を介して互いに接続されて、通信信号の授受を行う通信ネットワークを構成している。この通信ネットワークは、例えばイーサネット（登録商標）によるＴＣＰ／ＩＰ網であり、信号線Ｌ１、Ｌ２にはイーサネット（登録商標）ケーブルが用いられ、スプリッタ３０はスイッチング・ハブが用いられる。なお、信号線Ｌ１、Ｌ２、スプリッタ３０、及び通信ネットワークに関する技術については、既知の技術であるので説明を省略する。
【００２１】
中央制御装置１０は、図２（ａ）に示すように、中央制御装置１０全体を統括的に制御する制御部１１、使用者が操作することで中央制御装置１０の動作を変更するスイッチ・フェーダなどからなる操作入力部１２、各調光盤２０から受信した情報を表示する表示部１３、信号線Ｌ１を介して各調光盤２０との間で通信信号の授受を行う通信部１４、及び、各調光盤２０から送信された情報又は操作入力部１２の入力操作に応じて変更された設定を記憶する記憶部１５からなる。
【００２２】
表示部１３は、例えば液晶パネルからなり、制御部１１からの映像信号に基づいて、例えば図４に示すような、各バトン４０の配置を平面的に示した画像を表示する。使用者は、操作入力部１２を操作する際に、表示部１３の表示を参考にして、操作入力を行うことができ、必要に応じて調光盤２０の電気容量や通電時間などの動作状況を表示することも可能である。
【００２３】
記憶部１５には、操作入力部１２の各スイッチと調光盤２０の設定データＤ１とを関連付けた調光盤管理ファイルＦ１が記憶されている。設定データＤ１には、少なくとも調光盤２０のアドレスが含まれており、調光盤２０の電気容量、ブレーカ容量、コネクタ形状、異常情報、及び、通電時間などの情報を含めることで、中央制御装置１０において細かい操作を行うことが可能になる。また、各調光盤２０の設定データＤ１は、分散型照明制御システムを構築した際に、中央制御装置１０の制御部１１が、通信部１４を制御して各調光盤２０に設定データＤ１を要求する要求信号（要求データ）をマルチキャストにて送信する。通信ネットワークに接続された各調光盤２０は、要求データに応じて自身の設定データＤ１を中央制御装置１０に返送する。中央制御装置は、各調光盤２０の設定データＤ１に含まれるアドレスに基づいて、使用者が各操作入力部１２の各スイッチと対応付けを行うことで、調光盤管理ファイルＦ１が生成される。その後、使用者によって操作入力部１２から操作入力があると、制御部１１は、操作入力に関連付けられたアドレスを記憶部１５の調光盤管理ファイルＦ１に基づいて取得し、取得したアドレスに対応する調光盤２０に対して調光信号を送信する。
【００２４】
各調光盤２０は、図２（ｂ）に示すとおり、例えばマイコンなどからなる制御部２１と、スイッチなどからなる操作入力部２２と、液晶ディスプレイなどからなる表示部２３と、信号線Ｌ２に接続され中央制御装置１０との間で通信信号の授受を行う通信部２４と、ＥＥＰＲＯＭ（Ｅｌｅｃｔｉｃａｌ  Ｅｒａｓａｂｌｅ  Ｐｒｏｇｒａｍａｎｌｅ  ＲＯＭ）などの不揮発性のメモリからなる記憶部２５と、照明器具５０が接続され制御部２１からの調光信号に基づいて照明器具５０の調光レベルを制御する調光出力部２６と、調光盤２０の異常を検知して制御部２１に異常信号を出力する異常検知部２７とを備える。
【００２５】
各調光盤２０には、識別用のアドレスが割り振られており、例えば調光盤２０ａには［００１］が、調光盤２０ｂには［００２］が割り振られ、調光盤２０ｃ、２０ｄについても同様に他の調光盤２０との間で重複しない番号が割り振られている。なお、通信ネットワークとしてイーサネット（登録商標）によるＴＣＰ／ＩＰ網を用いた本実施の形態においては、予め各通信部２４に設定されたＭＡＣアドレスや、ＩＰアドレスを識別用のアドレスとして用いることも可能である。
【００２６】
制御部２１は、調光盤２０全体の動作を統括的に制御しており、記憶部２５に必要なデータを記憶させ、通信部２４を介して中央制御装置１０と通信信号の授受を行う。また、通信部２４を介して中央制御装置１０から入力された情報に基づいて、記憶部２５のデータを変化させ、調光出力部２６を制御して、照明器具５０の調光レベルを制御する。
【００２７】
通信部２４は、上述の通信ネットワークに接続され、中央制御装置１０との通信が行える状態になると、制御部２１に通信ネットワークに参加したことを意味する接続検知信号を出力する。制御部２１は、この接続検知信号に応じて設定データＤ１を通信部２４を介して中央制御装置１０に送信する。
【００２８】
通信部２４と中央制御装置１０との間の通信には、上述した識別用のアドレスが用いられ、中央制御装置１０は、送信先のアドレスを含めた通信信号を全ての調光盤２０に対してマルチキャストにより送信し、各調光盤２０の通信部２４が通信信号に含まれるアドレスと、自身に設定されたアドレスとを比較し、一致すればその通信信号は自器宛であると判断して制御部２１に信号を出力する。また、通信部２４が中央制御装置１０に向けて通信信号を送信する場合には、自身に設定されたアドレスを含めて送信することで、中央制御装置１０は何れの調光盤２０から送信された通信信号であるかを判断することができる。
【００２９】
調光出力部２６は、制御部２１からの調光信号に基づいて照明器具５０の調光レベルを制御している。なお、調光出力部２６が制御する内容としては、照明器具５０の調光レベルの調整に限らず、照明器具５０の光源の照射方向など、照明器具５０全体の動作を制御することも可能である。
【００３０】
異常検知部２７は、調光盤２０におけるブレーカトリップ、温度異常、漏電異常、過負荷異常、及び、モジュール異常などの各種異常状態を検知し、異常を検知すると制御部２１に異常信号を出力する。各異常情報の検出方法については、既知の技術であるので説明を省略する。
【００３１】
ここで、調光盤２０を新たに接続する際の動作について、図３を用いて説明を行う。まず、この分散型照明制御システムには、既に複数の調光盤２０が通信ネットワークを介して中央制御装置１０に接続されており、中央制御装置１０は、接続されている調光盤２０の設定データＤ１を上述した方法によって取得し、調光盤管理ファイルＦ１が記憶部１５に記録されている（ステップＳ１）。
【００３２】
次に、調光盤２０を新たに接続するには、まず調光盤２０をバトン４０の設置部４１に固定し、調光盤２０の電源及び通信ネットワーク及び電源に接続する（ステップＳ２）。調光盤２０は接続された電源によって動作し、通信部２４が中央制御装置１０との通信が可能となったことを検知して、調光器２０のアドレスを含む設定データＤ１を中央制御装置１０に送信する（ステップＳ３）。中央制御装置１０はこの設定データＤ１を受信すると、自身が保持する調光盤管理ファイルＦ１を設定データＤ１に基づいて更新する（ステップＳ４）。
【００３３】
その後、使用者が中央制御装置１０を操作することで、中央制御装置１０の表示部１３には、図４に示すような表示がなされ、使用者がどの調光盤２０が接続された状態にあるかを把握することができるとともに、表示部１３の表示内容に基づいて、操作入力部１２を操作し、各調光盤２０に接続された照明器具５０の調光レベルを制御する。
【００３４】
このようにして、各調光盤２０をバトン４０の設置部４１に設置し、電源及び通信ネットワークに調光盤２０を接続することで、中央制御装置１０は新たに調光盤２０が接続されたことを検知することができ、中央制御装置１０側で調光盤２０のアドレス入力などの操作を行う必要が無くなり、調光盤２０の設置作業にかかる手間及び時間を低減することができる。
（実施の形態２）
本実施の形態にかかる分散型照明制御システムを、図５及び図６を用いて説明を行う。本実施の形態においては、実施の形態１で説明した分散型照明制御システムにおいて、調光盤２０の操作入力部２２として、それぞれ押釦スイッチからなるスイッチ２２ａ、２２ｂが調光盤２０の表面に設けられている（図５（ａ）を参照）。また、表示部２３は調光盤２０の表面における操作入力部２２に近傍に設けられており、調光盤２０に設定されているアドレスを表示する。この点を除いては、実施の形態１と同様であるので説明を省略する。
【００３５】
スイッチ２２ａは、調光盤２０の設定データＤ１を中央制御装置１０に通知するためのスイッチであり、スイッチ２２ａを押操作することで、制御部２１が通信部２４を制御して設定データＤ１を送信する。またスイッチ２２ｂは、調光盤２０の電源スイッチであり、押操作を行うことで調光盤２０のオン・オフを切り替えることができる。またスイッチ２２ｂを押操作して、調光盤２０の電源がオン状態になると、制御部２１は自身が通信ネットワークに接続されていれば、設定データＤ１を中央制御装置１０に送信する。このようにすることで、中央制御装置１０を操作することなく、調光盤２０の設定データＤ１を中央制御装置１０に送信することができる。
【００３６】
ここで、調光盤２０を新たに接続した際に、スイッチ２２ａ又はスイッチ２２ｂを押操作することで、中央制御装置１０は接続された調光盤２０の設定データＤ１を検知することができ、中央制御装置１０側で調光盤２０のアドレス入力などの操作を行う必要が無くなり、調光盤２０の設置作業にかかる手間及び時間を低減することができる。
【００３７】
また、電源ボタンであるスイッチ２２ｂをオン操作することで設定データＤ１が通知されるので、調光盤２０使用しない場合には調光盤２０の電源をオフしておき、使用する際には電源をオンするだけで、中央制御装置１０に設定データＤ１を通知することが可能となる。
【００３８】
なお、このような調光盤２０では予めアドレスが設定されている必要があるが、操作入力部２２として、図５（ｂ）に示すように、スイッチ２２ｃ〜２２ｅを設け、アドレスを調光盤２０にて変更できるようにしても良い。以下に、アドレスを変更できるようにした場合について、詳細な説明を行う。
【００３９】
スイッチ２２ｃ〜２２ｅは、それぞれ異なる形状に形成された押釦式のスイッチであり、スイッチ２２ｃは上方向を示す形状、スイッチ２２ｄは下方向を示す形状、スイッチ２２ｅは例えば円形に形成されている。スイッチ２２ｃ、２２ｄを押操作することで、表示部２３に表示されたアドレスが加算、減算されて表示部２３に表示される。スイッチ２２ｅは表示部２３に表示されたアドレスを調光盤２０のアドレスとして設定するための設定スイッチであり、スイッチ２２ｅを押操作すると、制御部２１に新たなアドレスを通知するように設定されている。
【００４０】
制御部２１は、タイマ（図示せず）を有しており、スイッチ２２ｅの押操作が行われるとタイマを起動するとともに、通信部２４を介して他の調光盤２０に向けてアドレスの重複を確認するための重複確認データＤ４を送信する。タイマによって一定時間が経過するまでの間に、他の調光盤２０からアドレスが重複していることを示す警告データＤ５を受信すると、表示部２３にエラーを表示してアドレスの設定を中止する。また、一定時間が経過するまでの間に警告データＤ５の受信が行われない場合には、そのアドレスを自身のアドレスとして記憶部２５に記憶するとともに、中央制御装置１０に向けてアドレスが変更されたことを通知する。
【００４１】
ここで、調光盤２０のアドレスを変更する場合の動作について、図６を用いて説明する。なお、以下の説明においては、三台の調光盤２０ａ、２０ｂ、２０ｃにはそれぞれ、［００１］、［０１０］、［０２０］というアドレスが設定されており、調光盤２０ｂ、２０ｃは既に通信ネットワークに接続されているものとして説明を行う。
【００４２】
まず、調光盤２０ａを通信ネットワーク及び電源に接続して調光盤２０ａが動作を開始すると、調光盤２０ａの表示部２３には自己のアドレスである［００１］が表示される。次に、使用者が調光盤２０ａのスイッチ２２ｃ、２２ｄを操作して調光盤２０ａの表示部２３に［０１０］を表示させ、使用者が調光盤２０ａのスイッチ２２ｅを押操作すると（ステップＳ１０）、調光盤２０ａは制御部２１のタイマを起動するとともに、他の調光盤２０ｂ、２０ｃに向けてアドレス［０１０］を含む重複確認データＤ４をマルチキャストにて送信する（ステップＳ１１）。調光盤２０ｂ、２０ｃは、重複確認データＤ４を受信すると、重複確認データＤ４に含まれるアドレスと、自身に設定されているアドレスとを比較する。ここで、調光盤２０ｂに設定されているアドレスは、重複確認データＤ４に含まれるアドレス［０１０］と同じであるので、調光盤２０ｂは重複確認データＤ４の送信元である調光盤２０ａに向けて、警告データＤ５を送信する（ステップＳ１３）。調光盤２０ａは、この警告データＤ５を受信すると、表示部２３の表示内容を例えば［Ｅｒｒ］として、アドレスが他の調光盤２０と重複したために設定が完了しなかったことを使用者に示す（ステップＳ１４）。
【００４３】
次に、使用者が再度、調光盤２０ａのスイッチ２２ｃ、２２ｄを操作して調光盤２０ａの表示部２３に［０１１］を表示させ、使用者がスイッチ２２ｅを押操作すると（ステップＳ１５）、調光盤２０ａは制御部２１のタイマを起動するとともに、他の調光盤２０ｂ、２０ｃに向けてアドレス［０１１］を含む重複確認データＤ４をマルチキャストにて送信する（ステップＳ１６）。調光盤２０ｂ、２０ｃは、重複確認データＤ４を受信して、アドレスの比較を行う（ステップＳ１７）。このとき、調光盤２０ｂ、２０ｃの何れもアドレスが一致しないので、調光盤２０ａには警告データＤ５が送信されない。その後、制御部２１のタイマによって所定時間が経過すると、アドレスの重複が無かったものとして判断し、調光盤２０ａは表示部２３に表示されているアドレスを新たなアドレスとして記憶部２５に記憶し、中央制御装置１０に自身のアドレスを示す設定データＤ１を送信する（ステップＳ１９）。
【００４４】
このようにして、調光盤２０のアドレスが変更・設定されたことが中央制御装置１０に通知されるので、後で使用者が中央制御装置１０を操作する必要がなく、調光盤２０の設置作業にかかる手間及び時間を低減することができる。また、調光盤２０のアドレスを使用者が設定できるので、例えばＮ１のバトンには［００１］、Ｎ３のバトンには［００３］というように、使用者が認識しやすいアドレスを使用することができる。さらに、アドレスを設定する際には、他の調光盤２０に対して同一のアドレスが設定されていないかを確認しているので、重複して同じアドレスが設定されてしまうような設定ミスを低減することができる。
【００４５】
なお、調光盤２０の表示部２３に、自身に設定されたアドレスを表示させた状態で、スイッチ２２ｅが押操作された場合には、他の調光盤２０との間でアドレスの重複を確認することなく、中央制御装置１０に設定データＤ１を送信しても良い。
【００４６】
また、制御部２１のタイマが起動し、他の調光盤２０との間でアドレスの重複を確認している間は、表示部２３の表示を例えば点滅させておき、タイマによって所定時間経過すると通常の表示をするようにしてもよい。このようにすることで、使用者に設定が完了したことを伝えることができる。
（実施の形態３）
本実施の形態にかかる分散型照明制御システムを、図７及び図８を用いて説明を行う。本実施の形態においては、実施の形態１で説明した分散型照明制御システムにおいて、調光盤２０の操作入力部２２として、押釦スイッチからなるスイッチ２２ａが調光盤２０の表面に設けられている（図７を参照）。また各バトン４０は、押釦スイッチからなるスイッチ４２ｄにより構成される操作入力部４２と、液晶パネルからなり自身の名称を表示する表示部４３と、ケーブルなどを纏めて収納するためのカゴ４４と、吊下げ型の調光盤２０や照明装置を取り付けるための取付棒４５とを備える。また各バトン４０には、固有のアドレスが割り振られており、通信線Ｌ２を介して通信ネットワークに接続され、中央管理装置１０と通信信号の授受を行う。この点を除いては、実施の形態１と同様であるので説明を省略する。
【００４７】
調光盤２０の制御部２１は、スイッチ２２ａが押操作されると、自身のアドレスを含む設定データＤ１を中央管理装置１０に送信する。
【００４８】
バトン４０には、上述した名称とは別に固有のアドレスが割り振られており、例えば、名称がＮ１のバトン４０には［１０１］が、Ｎ２のバトンには［１０２］が割り振られており、全ての調光盤２０と全てのバトン４０との間で、同じアドレスが設定されないように設定されている。
【００４９】
バトン４０は、通信ネットワークに接続された状態で、スイッチ４２ａが押操作されると、自身のアドレスを含む場所データＤ６を中央制御装置１０に向けて送信する。
【００５０】
ここで、バトン４０に調光盤２０を設置した場合における中央制御装置１０の動作について、図８を用いて説明する。なお、以下の説明においては、バトン４０は調光盤２０に設置され、バトン４０、調光盤２０、及び、中央制御装置１０は、予め通信ネットワークに接続されているものとし、また、バトン４０及び調光盤２０にはそれぞれに固有のアドレスが割り当てられ、中央制御装置１０は使用者の操作に基づいて調光盤管理ファイルＦの設定などの初期設定が完了しているｅものとして説明を行う。
【００５１】
まず、使用者がバトン４０のスイッチ２２ａを操作すると、中央制御装置１０は、操作されたバトン４０のアドレスを含む場所データＤ６を受信する（ステップＳ２０）。中央制御装置１０の制御部１１は、自身が備えるタイマ（図示せず）を起動し（ステップＳ２１）、調光盤２０から設定データＤ１が送信されるのを待機する（ステップＳ２２）。ここで、調光器２０のスイッチ２２ａが操作され、中央制御装置１０が調光盤２０からの設定データＤ１を受信すると（ステップＳ２２のＹｅｓ）、受信した設定データＤ１及び場所データＤ６に含まれる、調光盤２０のアドレス及びバトン４０のアドレスに基づいて、調光盤２０がバトン４０に設置されたものとして関連付けを行い、調光盤管理ファイルＦ１を更新する（ステップＳ２４）。また、調光盤２０からの設定データＤ１を受信しない場合には（ステップＳ２２のＮｏ）、タイマにより所定時間が経過したかを判定し（ステップＳ２３）、所定時間経過していなければ（ステップＳ２３のＮｏ）再度調光盤２０からの設定データＤ１の受信を待機する。また、所定時間経過している場合には（ステップＳ２３のＹｅｓ）、バトン４０には調光盤２０が設置されていないものとして調光盤管理ファイルＦ１を更新する（ステップＳ２５）。
【００５２】
このようにして、バトン４０のスイッチ４２ａを押操作した後、中央制御装置１０のタイマに設定された所定時間の間に、調光盤２０のスイッチ２０ａを押操作することで、中央制御装置１０に調光盤２０を設置したバトン４０を通知できる。
【００５３】
また、調光盤２０のスイッチ２２ａを先に押操作した場合には、中央制御装置１０は、操作された調光盤２０のアドレスを含む設定データＤ１を受信し（ステップ３０）、制御部１１がタイマを起動して（ステップＳ３１）、バトン４０から設定データＤ１が送信されるのを待機する（ステップＳ３２）。タイマに設定された所定時間の間に、バトン４０からの場所データＤ６を受信すると（ステップＳ３２のＹｅｓ）受信した設定データＤ１及び場所データＤ６に基づいて調光盤２０とバトン４０とを関連付け（ステップＳ２４）、所定の時間の間に場所データＤ６を受信しない場合には（ステップＳ３３のＹｅｓ）、調光盤２０の設置場所は未定であるとして、調光盤管理ファイルＦ１を更新する（ステップＳ２５）。
【００５４】
このようにして、中央制御装置１０のタイマに設定された所定時間の間に、バトン４０のスイッチ４２ａ及び調光盤２０のスイッチ２０ａの両方を押操作することで、中央制御装置１０が調光盤２０を設置したバトン４０を把握することができるので、使用者が予め調光盤２０の設置位置を設定しておく必要が無くなり、調光盤２０の設置作業にかかる手間と時間を低減することができる。また、バトン４０のスイッチ４２ａと調光盤２０のスイッチ２０ａは、どちらを先に押操作してもよく、操作性が高まる。
【００５５】
なお、ひとつのバトン４０に複数の調光盤２０が設置できる場合には、各設置部４１に対応させて複数のスイッチ４２ａを設け（図９（ａ）を参照）、スイッチ４２ａの押操作に応じて、バトン４０のアドレスと、対応する設置部４１の識別子とを場所データＤ６として、中央制御装置１０に送信することで、複数の調光盤２０と設置部４１とを中央制御装置１０が関連付けて把握し、管理することができる。またこの場合には、各スイッチ４２ａを対応する設置部４１の近傍に配置することも可能であり（図９（ｂ）を参照）、設置部４１に対応するスイッチ４２ａが使用者に認識しやすくして、操作ミスを減らすことができる。
【００５６】
なお、上述した各実施の形態において、調光盤２０の制御部２１は、異常検知部２７からの異常信号に応じて、通信部２４を制御し、中央制御装置１０に向けて自身が異常状態であることを示す異常発報データを送信するようにしても良い。この異常発報データには、異常が発生した調光盤２０のアドレス、異常が発生した箇所及び内容が含まれている。中央制御装置１０はこの異常発報データを受信すると、異常発報データに基づいて、表示部１３の表示内容を変化させ、調光盤２０において異常が発生したことを使用者に通知する。このとき、例えば図１０に示すように、異常が発生した調光盤２０が設置されたバトン４０の位置を点滅表示、又は、色を変化させて表示するとともに、バトン４０の名称を含むメッセージを表示部１３の中央に表示することで、使用者がどの調光盤２０において異常が発生したのかを容易に認識することができる。このようにすることで、調光盤２０において異常が発生したことを速やかに把握して、適宜修理や交換などの対応を行うことが可能となる。
【符号の説明】
【００５７】
１０        中央制御装置
１１        制御部（要求手段）
１４        通信部
１５        記憶部（記憶手段）
２０        調光盤
２１        制御部（通信制御手段）
２４        通信部
２          記憶部
３０        スプリッタ
４０        バトン
５０        照明器具
Ｌ１、Ｌ２  信号線
【図１】
2011070961.tif 000003
【図２】
2011070961.tif 000004
【図３】
2011070961.tif 000005
【図４】
2011070961.tif 000006
【図５】
2011070961.tif 000007
【図６】
2011070961.tif 000008
【図７】
2011070961.tif 000009
【図８】
2011070961.tif 000010
【図９】
2011070961.tif 000011
【図１０】
2011070961.tif 000012
【図１１】
2011070961.tif 000013
【図１２】
2011070961.tif 000014